【手続補正書】
【提出日】平成29年2月10日(2017.2.10)
【手続補正１】
【補正対象書類名】明細書
【補正対象項目名】０１０２
【補正方法】変更
【補正の内容】
【０１０２】
本発明の範囲及び趣旨から逸脱することなく、本開示の予測可能な修正及び変更が当業者には自明であろう。本発明は、説明を目的として本出願に記載される実施形態に限定されるべきではない。本発明の実施態様の一部を以下の項目［１］−［１３］に記載する。
［項目１］
燃料電池のアノードであって、
Ｐｔを含む触媒であって、表面積を有する、触媒と、
前記Ｐｔを含む触媒の表面積の一部上における酸素発生反応触媒と、
前記Ｐｔを含む触媒の表面積の一部上におけるＡｕ、耐熱金属、耐熱金属酸化物、耐熱金属ホウ化物、耐熱金属炭化物、耐熱金属窒化物、又は耐熱金属ケイ化物のうちの少なくとも１つと、を含み、
前記Ｐｔを含む触媒の表面積の一部が、存在する範囲内で、前記酸素発生反応触媒、又は共同でＡｕ、耐熱金属、耐熱金属酸化物、耐熱金属ホウ化物、耐熱金属炭化物、耐熱金属窒化物、及び耐熱金属ケイ化物によって被覆されていない、燃料電池のアノード。
［項目２］
耐熱物質が、耐熱金属、耐熱金属酸化物、耐熱金属ホウ化物、耐熱金属炭化物、耐熱金属窒化物、又は耐熱金属ケイ化物のうちの１つであり、独立して、Ｈｆ、Ｎｂ、Ｏｓ、Ｒｅ、Ｒｈ、Ｔａ、Ｔｉ、Ｗ、Ｚｒ、及びこれらの組み合わせからなる群から選択される、項目１に記載の燃料電池のアノード。
［項目３］
前記Ｐｔを含む触媒中に存在するＰｔが、金属Ｐｔ又はＰｔ化合物のうちの少なくとも１つとして存在し、前記Ｐｔを含む触媒が、Ｉｒ、Ｒｕ、又はＰｄのうちの少なくとも１つを更に含む、項目１又は２に記載の燃料電池のアノード。
［項目４］
前記Ｉｒ、Ｒｕ、又はＰｄのうちの少なくとも１つの少なくとも幾つかが、少なくとも１つの有機金属化合物中に存在し、前記Ｉｒ、Ｒｕ、又はＰｄのうちの少なくとも１つの少なくとも幾つかが、少なくとも１つの有機金属錯体中に存在する、項目１〜３のいずれか一項に記載の燃料電池。
［項目５］
存在する少なくとも１つの有機金属化合物が、酸化物又は水和酸化物のうちの１つである、項目４に記載の燃料電池。
［項目６］
前記Ｐｔが、０．５マイクログラム／ｃｍ２〜１００マイクログラム／ｃｍ２で存在する、項目１〜５のいずれか一項に記載の燃料電池のアノード。
［項目７］
前記酸素発生反応触媒が、０．５マイクログラム／ｃｍ２〜２５０マイクログラム／ｃｍ２で存在する、項目１〜６のいずれか一項に記載の燃料電池。
［項目８］
１つのＡｕ、耐熱金属、耐熱金属酸化物、耐熱金属炭化物、耐熱金属炭化物、耐熱金属窒化物、及び耐熱金属ケイ化物が、存在する範囲内で、合計で、０．５マイクログラム／ｃｍ２〜１００マイクログラム／ｃｍ２の範囲で存在する、項目１〜７のいずれか一項に記載の燃料電池。
［項目９］
前記酸素発生反応触媒、並びにＡｕ、耐熱金属、耐熱金属酸化物、耐熱金属炭化物、耐熱金属炭化物、耐熱金属窒化物、及び耐熱金属ケイ化物は、存在する範囲内で、合計で、前記Ｐｔを含む触媒の表面積の２パーセント〜９５パーセント以下を被覆する、項目１〜８のいずれか一項に記載の燃料電池。
［項目１０］
前記酸素発生反応触媒の一部が、前記Ａｕ、耐熱金属、耐熱金属酸化物、耐熱金属ホウ化物、耐熱金属炭化物、耐熱金属窒化物、又は耐熱金属ケイ化物のうちの少なくとも１つによって被覆される、項目１〜９のいずれか一項に記載の燃料電池。
［項目１１］
前記Ａｕ、耐熱金属、耐熱金属酸化物、耐熱金属ホウ化物、耐熱金属炭化物、耐熱金属窒化物、又は耐熱金属ケイ化物のうちの少なくとも１つの一部が、前記酸素発生反応触媒の一部によって被覆される、項目１〜９のいずれか一項に記載の燃料電池。
［項目１２］
項目１〜１１のいずれか一項に記載の燃料電池の燃料電池アノードを製造する方法であって、
スパッタリング、原子層堆積、分子有機化学蒸着、分子線エピタキシー、イオンソフトランディング、熱物理蒸着、エレクトロスプレーイオン化による真空蒸着、及びパルスレーザー堆積からなる群から選択される蒸着技術を介して前記Ｐｔを含む触媒を堆積させる工程と、
スパッタリング、原子層堆積、分子有機化学蒸着、分子線エピタキシー、イオンソフトランディング、熱物理蒸着、エレクトロスプレーイオン化による真空蒸着、及びパルスレーザー堆積からなる群から独立して選択される蒸着技術を介して前記酸素発生反応触媒を堆積させる工程と、を含む、方法。
［項目１３］
前記Ｐｔを含む触媒、前記酸素発生反応触媒、及び前記Ａｕ、耐熱金属、耐熱金属酸化物、耐熱金属ホウ化物、耐熱金属炭化物、耐熱金属窒化物、又は耐熱金属ケイ化物のうちの少なくとも１つを堆積させることが、同じ真空下で実施される、項目１２に記載の燃料電池の燃料電池アノードを製造する方法。
【手続補正２】
【補正対象書類名】特許請求の範囲
【補正対象項目名】全文
【補正方法】変更
【補正の内容】
【特許請求の範囲】
【請求項１】
水素燃料電池のアノードであって、
Ｐｔを含む触媒であって、表面積を有する、触媒と、
前記Ｐｔを含む触媒の表面積の一部上における酸素発生反応触媒と、
前記Ｐｔを含む触媒の表面積の一部上におけるＡｕ、耐熱金属、耐熱金属ホウ化物、耐熱金属炭化物、耐熱金属窒化物、又は耐熱金属ケイ化物のうちの少なくとも１つと、を含み、
前記耐熱物質が、独立して、Ｈｆ、Ｎｂ、Ｏｓ、Ｒｅ、Ｒｈ、Ｔａ、Ｔｉ、Ｗ、Ｚｒ、及びこれらの組み合わせからなる群から選択され、
前記Ｐｔを含む触媒の表面積の一部が、存在する範囲内で、前記酸素発生反応触媒、又は共同で前記Ａｕ、前記耐熱金属、前記耐熱金属ホウ化物、前記耐熱金属炭化物、前記耐熱金属窒化物、及び前記耐熱金属ケイ化物によって被覆されていない、水素燃料電池のアノード。
【請求項２】
前記Ｐｔを含む触媒中に存在するＰｔが、金属Ｐｔ又はＰｔ化合物のうちの少なくとも１つとして存在し、前記Ｐｔを含む触媒が、Ｉｒ、Ｒｕ、又はＰｄのうちの少なくとも１つを更に含む、請求項１に記載の水素燃料電池のアノード。
【請求項３】
前記Ｉｒ、Ｒｕ、又はＰｄのうちの少なくとも１つの少なくとも幾つかが、少なくとも１つの有機金属化合物中に存在し、前記Ｉｒ、Ｒｕ、又はＰｄのうちの少なくとも１つの少なくとも幾つかが、少なくとも１つの有機金属錯体中に存在する、請求項１又は２に記載の水素燃料電池のアノード。
【請求項４】
存在する少なくとも１つの有機金属化合物が、酸化物又は水和酸化物のうちの１つである、請求項３に記載の水素燃料電池のアノード。
【請求項５】
請求項１〜４のいずれか一項に記載の水素燃料電池のアノードを製造する方法であって、
スパッタリング、原子層堆積、分子有機化学蒸着、分子線エピタキシー、イオンソフトランディング、熱物理蒸着、エレクトロスプレーイオン化による真空蒸着、及びパルスレーザー堆積からなる群から選択される蒸着技術を介して前記Ｐｔを含む触媒を堆積させる工程と、
スパッタリング、原子層堆積、分子有機化学蒸着、分子線エピタキシー、イオンソフトランディング、熱物理蒸着、エレクトロスプレーイオン化による真空蒸着、及びパルスレーザー堆積からなる群から独立して選択される蒸着技術を介して前記酸素発生反応触媒を堆積させる工程と、
Ａｕ、耐熱金属、耐熱金属ホウ化物、耐熱金属炭化物、耐熱金属窒化物、及び耐熱金属ケイ化物のうちの少なくとも１つを堆積させる工程と、を含み、
前記Ｐｔを含む触媒、前記酸素発生反応触媒、及び前記Ａｕ、耐熱金属、耐熱金属ホウ化物、耐熱金属炭化物、耐熱金属窒化物、及び耐熱金属ケイ化物のうちの少なくとも１つを堆積させる工程が、同じ真空下で実施される、方法。